(57)【要約】【課題】側板保持具をトラスの上梁に取付ける際に、基準面が上梁の上面に対して簡単に平行になるように取付けることを可能にした乗客コンベアの側板保持具据付治具を得る。【解決手段】この発明に係る乗客コンベアの側板保持具据付治具は、一対の治具ベース１５と、この治具ベース１５にそれぞれ締結部材１９を用いて取付けられるアングル１６と、対向するこのアングル１６に両端部が固定され、上梁２に取付けた際に上梁２の上面に対して平行である固定金具１７とを備え、側板保持具３は、高さ調整手段１１を用いて基準面６ａを固定金具１７に面接触させて基準部６の高さ調整が行われる。【選択図】図３
2011088715.tif 000002
【特許請求の範囲】
【請求項１】
保持具本体、側板を保持する保持部、この保持部と連設され平面状の基準面を有する基準部、及び基準部と保持具本体との間に設けられ基準部の高さを調整する高さ調整手段を有した側板保持具を、トラスの上梁に固定する際に基準面上に覆って使用される乗客コンベアの側板保持具据付治具であって、
一対の治具ベースと、この治具ベースにそれぞれ締結部材を用いて取付けられる断面Ｌ字形状の中継部材と、対向するこの中継部材に両端部が固定され、前記上梁に取付けた際に上梁の上面に対して平行である基準部材とを備え、
前記側板保持具は、前記高さ調整手段を用いて前記基準面を前記基準部材に面接触させて前記基準部の高さ調整が行われることを特徴とする乗客コンベアの側板保持具据付治具。
【請求項２】
前記基準部材と前記基準部とを締結する締結部材を有していることを特徴とする請求項１に記載の乗客コンベアの側板保持具据付治具。
【請求項３】
前記治具ベース及び前記中継部材の少なくとも一方には、治具ベースに対する中継部材の高さ方向の相対位置を調整するための長孔が形成されており、この長孔に前記締結部材のボルトが貫通することを特徴とする請求項１または２に記載の乗客コンベアの側板保持具据付治具。
【請求項４】
前記治具ベースは、Ｕ字形状の挟み部を有しており、この挟み部に挿入された前記上梁の縁部を固定するようになっていることを特徴とする請求項１〜３の何れか１項に記載の乗客コンベアの側板保持具据付治具。
【発明の詳細な説明】
【技術分野】
【０００１】
この発明は、例えばエスカレータの側板を保持する側板保持具をトラスの上梁に取付ける際に用いられる乗客コンベアの側板保持具据付治具に関するものである。
【背景技術】
【０００２】
従来、エスカレータのトラスの上梁には、側板を保持する側板保持具が間隔をおいて設けられており、この側板保持具に側板であるガラスパネルが取付けられている。
この側板保持具は、保持本体、側板を保持する保持部、この保持部に連設され基準面を有する基準部、及び基準部と側板保持具との間に設けられ基準部を調整する高さ調整手段を有しており、この高さ調整手段により、基準面がトラスの上梁の上面と平行になるように調整し、側板を保持する保持部の位置を定めている（例えば、引用文献１参照）。
【先行技術文献】
【特許文献】
【０００３】
【特許文献１】特開２００５-１１２６００号公報
【発明の概要】
【発明が解決しようとする課題】
【０００４】
しかしながら、上記構成の側板保持具は、基準面が幅、奥行ともに短いため、基準面がトラスの上梁の上面と平行であるかどうか、トラスの上梁に取付けたときに瞬時に判別することが困難であり、上梁の上面と基準面との間の寸法を複数箇所にわたって定規を用い測定し両者間が平行であるかどうかのチェックが必要であった。
そして、平行でないときには、その都度高さ調整手段を用いて調整を繰り返さなければならず、側板保持具を上梁に取付けるのに手間がかかるという問題点があった。
【０００５】
この発明は、上記のような問題点を解決することを課題とするものであって、側板保持具をトラスの上梁に取付ける際に、基準面が上梁の上面に対して簡単に平行になるように取付けることを可能にした乗客コンベアの側板保持具据付治具を提供することを目的とする。
【課題を解決するための手段】
【０００６】
この発明に係る乗客コンベアの側板保持具据付治具は、保持具本体、側板を保持する保持部、この保持部と連設され平面状の基準面を有する基準部、及び基準部と保持具本体との間に設けられ基準部の高さを調整する高さ調整手段を有した側板保持具を、トラスの上梁に固定する際に基準面上に覆って使用される乗客コンベアの側板保持具据付治具であって、一対の治具ベースと、この治具ベースにそれぞれ締結部材を用いて取付けられる断面Ｌ字形状の中継部材と、対向するこの中継部材に両端部が固定され、前記上梁に取付けた際に上梁の上面に対して平行である基準部材とを備え、前記側板保持具は、前記高さ調整手段を用いて前記基準面を前記基準部材に面接触させて前記基準部の高さ調整が行われる。
【発明の効果】
【０００７】
この発明による乗客コンベアの側板保持具据付治具によれば、側板保持具は、高さ調整手段を用いて基準部の基準面を基準部材の下面に面接触するように基準部の高さ調整を行うことで、基準面がトラスに対して平行の状態で側板保持具をトラスの上梁に簡単に取付けることができる、即ち側板を保持する保持部を所望の位置を定めることができる。
【図面の簡単な説明】
【０００８】
【図１】この発明の実施の形態１のエスカレータの側板保持具据付治具を示す、エスカレータの製造途中の斜視図である。
【図２】図１の要部拡大図である。
【図３】図２のＩＩＩ-ＩＩＩ線に沿った矢視断面図である。
【図４】図１のエスカレータの側板保持具据付治具の全体斜視図である。
【図５】図４の側板保持具据付治具の分解斜視図である。
【図６】図１の側板保持具据付治具の使用態様を示す斜視図である。
【図７】この発明の実施の形態２のエスカレータの側板保持具据付治具の全体斜視図である。
【図８】図７の側板保持具据付治具の分解斜視図である。
【図９】この発明の実施の形態３のエスカレータの側板保持具据付治具の全体斜視図である。
【図１０】図９の矢印Ａに沿って治具ベースを視たときの図である。
【図１１】図９の矢印Ｂに沿って治具ベースを視たときの図である。
【発明を実施するための形態】
【０００９】
以下、この発明の各実施の形態について図に基づいて説明するが、各図において同一または相当の部材、部位については同一符号を付して説明する。
実施の形態１．
図１はこの発明の実施の形態１のエスカレータの側板保持具据付治具を示す、エスカレータの製造途中の斜視図、図２は図１の要部拡大図、図３は図２のＩＩＩ-ＩＩＩ線に沿った矢視断面図、図４は図１の側板保持具据付治具の全体斜視図、図４の側板保持具据付治具の分解斜視図である。
乗客コンベアであるエスカレータのトラス１には、踏段３０を挟んで断面Ｌ状の上梁２が設けられている。この上梁２には、例えばガラスパネルである側板（図示せず）を保持する側板保持具３が一定の間隔をおいて複数設けられている。この側板保持具３は、側板保持具据付治具４（以下、据付治具と略称する）を用いて上梁２に取付けられる。
【００１０】
側板保持具３は、上梁２にボルト及びナットで構成された第１の締結部材１２により締結された保持具本体５と、この保持具本体５に対向した平面状の基準面６ａを有する基準部６と、この基準部６と保持具本体５との間に設けられ基準面６ａの高さを調節する高さ調整手段１１と、基準部６にボルト３１により固定され側板を保持する保持部７とを備えている。なお、符号８は保持部７に固定されたデッキボード止め金である。
高さ調整手段１１は、基準面６ａにおいて左右対称に４箇所に設けられている。それぞれの高さ調整手段１１は、ボルト９と、ボルト９の頭部（図示せず）と協同して保持具本体５に挟んで固定したナット１０ａと、ボルト９の端部に基準部６を挟んで螺着した一対のナット１０ｂ，１０ｃとを有しており、ナット１０ｂ，１０ｃの調整により基準面６ａの高さ調整がなされ、この基準部６の移動に伴い側板を保持する保持部７も移動する。
【００１１】
上梁２にシャコ万１４により固定される据付治具４は、断面Ｌ状の一対の治具ベース１５と、ボルト及びナットで構成された第３の締結部材１９により治具ベース１５に締結された中継部材であるアングル１６と、このアングル１６に溶接で接合された基準部材である固定金具１７と、基準面６ａを固定金具１７の下面に強制的に面接触させる、ボルト及びナットで構成された一対の第２を締結部材１８とを備えている。固定金具１７は、対向した一対の高さ調整手段１１の間を上梁２と平行に延びている。第２の締結部材１８は、ボルトが基準部６の孔及び固定金具１７の孔２１を貫通し、端部がナットで螺着して、基準部６と固定金具１７とを締結する。
中継部材であるアングル１６には、長孔２２が形成されており、治具ベース１５の孔２０に対する長孔２２の上下動の移動により、常に基準部材である固定金具１７は水平であるように据付治具４の高さが調整される。
【００１２】
次に、据付治具４を用いて側板保持具３を上梁２に取付ける手順について説明する。
先ず、据付治具４を側板保持具３を跨いて上梁２に載置する。この際、基準面６ａから予め第２の締結部材１８のボルトの端部が突出しており、固定金具１７は、孔２１をボルトの端部に挿入することで、対向した一対の高さ調整手段１１間に位置決めされる。
この後、シャコ万１４を用いて治具ベース１５で締め付けて据付治具４を上梁２に固定する。
【００１３】
次に、第２の締結部材１８のボルトの端部にナットを螺着して、基準６と固定金具１７とを締結し、基準面６ａと固定金具１７の下面とを密接させる。
据付治具４は、固定金具１７の高さが上梁２の方向に沿って一定であり、固定金具１７と上梁２とが平行であるので、基準面６ａが固定金具１７の下面と密接したときが、側板保持具３が上梁２に対して平行に取付けられた正しい位置に相当する。
この後、この基準面６ａの高さを維持、確保するために、高さ調整手段１１のナット１０ｂ，１０ｃを用いて基準部６の両面から締め付ける。
この次に、図６に示すように、保持部７に高さゲージ２４を載置し、この高さゲージ２４に平行に延びた２本のピアノ線２５を当てて、側板保持具３が上梁２に対して所定どうりに固定されているかどうかを確認する。
この確認作業をした後、シャコ万１４の締結を解除し、上梁２から据付治具４を除く。
【００１４】
以上説明したように、この実施の形態の乗客コンベアの据付治具４によれば、側板保持具３は、高さ調整手段１１を用いて基準部６の基準面６ａを基準部材である固定金具１７の下面に面接触するように基準部６の高さ調整を行うことで、基準面６ａがトラス１に対して平行の状態で側板保持具３をトラス１の上梁２に簡単に取付けることができる。
即ち、側板を保持する保持部７を所望の位置を定めることができる。
【００１５】
また、第２の締結部材１８を用いて固定金具１７の下面に基準部６の基準面６ａを強制的に密接させることで、基準面６ａがトラス１に対してより確実に平行に設定される。
【００１６】
また、傾斜した上梁２での据付治具４の取付け作業であるが、基準面６ａから予め第２の締結部材１８のボルトの端部が突出しており、固定金具１７の孔２１をボルトの端部に挿入することで、据付治具４を仮止めでき、その後の据付治具４の上梁２に対する取付け作業を円滑に進めることができる。
【００１７】
また、アングル１６に長孔２２が形成されているので、治具ベース１５に対するアングル１６の高さ位置を簡単に調整することができ、高さの異なる別の側板保持具にもこの実施の形態の据付治具４を適用することができる。
なお、長孔は治具ベース１５に形成しても、治具ベース１５に対するアングル１６の高さ位置を簡単に調整することができる。
【００１８】
実施の形態２．
図７はこの発明の実施の形態２の据付治具４の全体斜視図、図８は図７の据付治具４の分解斜視図である。
この実施の形態では、実施の形態１の第２の締結部材１８が除かれている。
この他の構成は、実施の形態１と同じである。
【００１９】
この実施の形態では、据付治具４を側板保持具３を跨いて上梁２に載置し、側板保持具据付治具４をシャコ万１４を用いて治具ベース１５で締め付けて上梁２に固定する。
この際、固定金具１７Ａの下面が基準部６の基準面６ａに面接触している場合には、上梁２と基準面６ａとは平行であり、側板保持具３が上梁２に対して平行に取付けられた正しい位置に取付けられていることが確認される。
一方、固定金具１７Ａの下面が基準部６の基準面６ａに面接触していない場合には、４箇所のそれぞれの高さ調整手段１１の調整により、基準面６ａが固定金具１７Ａの下面と面接触するように高さ調整を行い、この位置を維持、確保するように、ナット１０ｂ，１０ｃを用いて基準部６の両面を締め付ける。
据付治具４を用いて側板保持具３を上梁２に取付ける他の手順については、実施の形態１と同じである。
【００２０】
この実施の形態では、第２の締結部材１８が除かれ、コストが安価は据付治具４であるが、この据付治具４を用いることで、側板保持具３を基準面６ａが上梁２に対して平行になるように簡単に取付けることができる。
【００２１】
実施の形態３．
図９はこの発明の実施の形態３の据付治具４の全体斜視図、図１０は図９の矢印Ａに沿って治具ベース１５Ａを視たときの図、図１１は図９の矢印Ｂに沿って治具ベース１５Ａを視たときの図である。
この実施の形態では、据付治具４の治具ベース１５Ａは、上梁４の縁部が挿入されるＵ字形状の挟み部２８を有しており、この挟み部２８に溶接されたナット２７を通じてボルト３１を螺入することで、据付治具４は、上梁２に固定される。
【００２２】
この実施の形態では、傾斜した上梁２に据付治具４を固定する際に、上梁４の縁部を挟み部２８に挿入することで据付治具４の動きが規制され、上梁４に据付治具４を固定する作業性が向上する。
【００２３】
なお、上記の各実施の形態の据付治具４では、乗客コンベアとしてエスカレータに適用した場合について説明したが、勿論このものに限定されるものではなく、乗客コンベアとして動く歩道にも適用できる。
また、各実施の形態では、固定金具１７，１７Ａとアングル１６とを溶接で接合してが、締結部材でもよいのは勿論である。
また、この締結部材を用いた場合には、固定金具、アングルの少なくとも一方に長孔を形成することで、アングルに対する固定金具の相対位置を変えることができ、それだけ別の側板保持具にも適用する可能性が高まる。
また、基準部材として、断面Ｌ形状の固定金具１７，１７Ａを用いたが、勿論、この形状、材質に限定されない。
また、中継部材として、片部の長さが等しいアングル１６を用いたが、勿論このものについても、この形状に限定されない。
また、側板としてガラスパネルを用いたが、例えばステンレス鋼であってもよい。
【符号の説明】
【００２４】
１  トラス、２  上梁、３  側板保持具、４  側板保持具据付治具、５  保治具本体、６  基準部、６ａ  基準面、７  保持部、８  デッキボード止め金、９  ボルト、１０ａ，１０ｂ，１０ｃ  ナット、１１  高さ調整手段、１２  第１の締結部材、１５  治具ベース、１６  アングル（中継部材）、１７，１７Ａ  固定金具（基準部材）、１８  第２の締結部材、１９  第３の締結部材、２０  孔、２２  長孔、２４  高さゲージ、２５  ピアノ線、２６  ボルト、２７  ナット、３０  踏段、３１  ボルト。
【図１】
2011088715.tif 000003
【図２】
2011088715.tif 000004
【図３】
2011088715.tif 000005
【図４】
2011088715.tif 000006
【図５】
2011088715.tif 000007
【図６】
2011088715.tif 000008
【図７】
2011088715.tif 000009
【図８】
2011088715.tif 000010
【図９】
2011088715.tif 000011
【図１０】
2011088715.tif 000012
【図１１】
2011088715.tif 000013